(57)【要約】【課題】撮像装置において、ノイズを遮蔽しつつ、省スペースかつリペアしやすい構成とする。【解決手段】撮像装置において、撮像部を搭載する第１基板と、電子部品を搭載する第２基板と、レンズを保持するレンズ鏡筒と、前記第１基板の周囲を覆う第１シールドプレートと、前記第２基板の周囲を覆う第２シールドプレートと、前記レンズ鏡筒、前記基板、前記第１シールドプレート、及び前記第２シールドプレートを覆うよう配置されたケースと、を備え、前記第１シールドプレートと前記第２シールドプレートとは、互いに光軸方向に移動しないよう配置されており、前記第１シールドプレート及び前記第２シールドプレートの一方は、光軸方向の移動を規制するよう他の部材と接する当接部を有し、前記第１シールドプレート及び前記第２シールドプレートの他方は、光軸方向に付勢力を受けるように他の部材と接する付勢部と、を有する構成とする。【選択図】図６
2018164190.tif 000002
【特許請求の範囲】
【請求項１】
撮像部を搭載する第１基板と、
電子部品を搭載する第２基板と、
レンズを保持するレンズ鏡筒と、
前記第１基板の周囲を覆う第１シールドプレートと、
前記第２基板の周囲を覆う第２シールドプレートと、
前記レンズ鏡筒、前記基板、前記第１シールドプレート、及び前記第２シールドプレートを覆うよう配置されたケースと、を備え、
前記第１シールドプレートと前記第２シールドプレートとは、互いに光軸方向に移動しないよう配置されており、
前記第１シールドプレート及び前記第２シールドプレートの一方は、光軸方向の移動を規制するよう他の部材と接する当接部を有し、
前記第１シールドプレート及び前記第２シールドプレートの他方は、光軸方向に付勢力を受けるように他の部材と接する付勢部と、を有する、
撮像装置。
【請求項２】
前記第１シールドプレートは、
光軸方向に垂直な第１平面部と、
前記平面部から光軸方向に向かって延び、前記第１基板の外側を覆う第１側面部と、を有し、
前記第２シールドプレートは、
光軸方向に垂直な第２平面部と、
前記平面部から光軸方向に向かって延び、前記第２基板の外側を覆う第２側面部と、を有する、
請求項１に記載の撮像装置。
【請求項３】
前記付勢部は、前記第２平面部に形成された板ばね部である、
請求項２に記載の撮像装置。
【請求項４】
前記第１シールドプレートが前記当接部を有し、
前記第２シールドプレートが前記付勢部を有し、
前記第１平面部は、前記第２側面部の光軸方向前方の端部と接する、
請求項１から請求項３のいずれか１項に記載の撮像装置。
【請求項５】
前記第１シールドプレート及び前記第２シールドプレートは、接地電位に電気的に接続されている、
請求項１から請求項４のいずれか１項に記載の撮像装置。
【請求項６】
前記第１基板及び前記第２基板の光軸方向後方に配置され、撮像装置に電力を供給するコネクタをさらに備え、
前記第１シールドプレート及び前記第２シールドプレートは、前記コネクタの接地電位に電気的に接続されている、
請求項５に記載の撮像装置。
【請求項７】
前記第１側面部は、前記第１平面部より光軸方向後方に延びた後方延出部を有し、
前記第２側面部において前記第１平面部と接する当接部は、前記後方延出部よりも光軸に近接した位置に配置される、
請求項１から請求項６のいずれか１項に記載の撮像装置。
【請求項８】
前記第１平面部または前記第２平面部が、前記第１基板と前記第２基板との間に配置される、
請求項１から請求項７のいずれか１項に記載の撮像装置。
【発明の詳細な説明】
【技術分野】
【０００１】
本発明の一態様は、撮像装置等に関する。
【背景技術】
【０００２】
レンズ鏡筒と、撮像素子が搭載された基板とがケースに収容された撮像装置では、ノイズ対策のため、撮像素子が搭載された基板の周囲を覆うシールドプレートを備える構成とすることがある。特許文献１では、電磁波を遮蔽するために、シールドケースを備えた構成のカメラ装置が開示されている。
【先行技術文献】
【特許文献】
【０００３】
【特許文献１】特開２０１１−１６４４６１号公報
【発明の概要】
【発明が解決しようとする課題】
【０００４】
一方で、近年車載カメラが広く普及しつつある。このような車載カメラでは、搭載される空間が限定されるため、従来よりもさらに、小型化に対する要求が高くなっている。また、車載カメラ以外の撮像装置においても、小型化に対する要求がある。さらに、近年、無線通信が広く普及しており、従来以上に電磁ノイズの混入による不具合の発生を防止する構成が望まれている。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像部を搭載する第１基板（４１）と、
電子部品を搭載する第２基板（４２）と、
レンズを保持するレンズ鏡筒（３）と、
前記第１基板の周囲を覆う第１シールドプレート（６１）と、
前記第２基板の周囲を覆う第２シールドプレート（６２）と、
前記レンズ鏡筒、前記基板、前記第１シールドプレート、及び前記第２シールドプレートを覆うよう配置されたケース（１、８）と、を備え、
前記第１シールドプレートと前記第２シールドプレートとは、互いに光軸方向に移動しないよう配置されており、
前記第１シールドプレート及び前記第２シールドプレートの一方は、光軸方向の移動を規制するよう他の部材と接する当接部を有し、
前記第１シールドプレート及び前記第２シールドプレートの他方は、光軸方向に付勢力を受けるように他の部材と接する付勢部（６２ｃ）を有する、
撮像装置である。
【０００７】
上記構成の撮像装置では、第１シールドプレートと第２シールドプレートとを備える構成とすることで、第１基板と第２基板とを、効果的に電磁ノイズから保護することができる。また、付勢部を有する構成とすることで、第１シールドプレート及び第２シールドプレートの位置を安定させつつ、フックなどを用いてシールドプレートを固定する構成と比較して、外側に向かって突出する形状を削減することができる。これにより、撮像装置を省スペースで構成することが可能となる。また、フックなどを用いる形状と比較して、一度組み立てた後であっても分解が容易であり、リペアをしやすい構成にすることができる。
【０００８】
上記撮像装置において、好ましくは、
前記第１シールドプレート（６１）は、
光軸方向に垂直な第１平面部と、
前記平面部から光軸方向に向かって延び、前記第１基板の外側を覆う第１側面部と、を有し、
前記第２シールドプレート（６２）は、
光軸方向に垂直な第２平面部と、
前記平面部から光軸方向に向かって延び、前記第２基板の外側を覆う第２側面部と、を有する。
【０００９】
上記構成の撮像装置によれば、第１基板及び第２基板への電磁ノイズによる影響を効果的に抑制することができる。
【００１０】
上記撮像装置において、好ましくは、
前記付勢部は、前記第２平面部に形成された板ばね部（６２ｃ）である。
【００１１】
上記構成の撮像装置によれば、比較的形成が容易な板ばねによって、シールドプレートの位置を安定させることができる。
【００１２】
上記撮像装置において、好ましくは、
前記第１シールドプレートが前記当接部を有し、
前記第２シールドプレートが前記付勢部を有し、
前記第１平面部は、前記第２側面部の光軸方向前方の端部と接する。
【００１３】
上記構成の撮像装置によれば、第１シールドプレート及び第２シールドプレートの位置をより安定させやすい構成にすることができる。
【００１４】
上記撮像装置において、好ましくは、
前記第１シールドプレート及び前記第２シールドプレートは、接地電位に電気的に接続されている。
【００１５】
上記構成の撮像装置によれば、第１シールドプレート及び第２シールドプレートが接地電位になるため、さらに効果的に、基板への電磁ノイズによる影響を抑制することができる。
【００１６】
上記撮像装置において、好ましくは、
前記第１基板及び前記第２基板の光軸方向後方に配置され、撮像装置に電力を供給するコネクタ（９）をさらに備え、
前記第１シールドプレート及び前記第２シールドプレートは、前記コネクタの接地電位に電気的に接続されている。
【００１７】
上記構成の撮像装置によれば、低インピーダンスの接地電位にシールドプレートが接続されることとなるため、さらに効果的に、基板への電磁ノイズによる影響を抑制することができる。
【００１８】
上記撮像装置において、好ましくは、
前記第１側面部は、前記第１平面部より光軸方向後方に延びた後方延出部（６１ｃ）を有し、
前記第２側面部において前記第１平面部と接する当接部（６２ｅ）は、前記後方延出部よりも光軸に近接した位置に配置される。
【００１９】
上記構成の撮像装置によれば、第２シールドプレートが第１シールドプレートに対して位置ずれを起こし、光軸方向前方に脱落してしまうことを防止することができる。
【００２０】
上記撮像装置において、好ましくは、
前記第１平面部または前記第２平面部が、前記第１基板と前記第２基板との間に配置される。
【００２１】
上記構成の撮像装置によれば、第１基板と第２基板との相互間で伝搬される電磁ノイズを遮蔽することができる。
【図面の簡単な説明】
【００２２】
【図１】図１は、実施形態の撮像装置をフロント側から見た外観斜視図である。
【図２】図２は、実施形態の撮像装置をリア側から見た外観斜視図である。
【図３】図３は、実施形態の撮像装置をフロント側から見た分解斜視図である。
【図４】図４は、実施形態の撮像装置をフロント側から見つつ、第１シールドプレートを抜き出した分解斜視図である。
【図５】図５は、実施形態の撮像装置をリア側から見た分解斜視図である。
【図６】図６は、実施形態の撮像装置の断面図である。
【図７】図７は、実施形態の第１シールドプレートの斜視図である。
【図８】図８は、実施形態の第１シールドプレートの六面図である。
【図９】図９は、実施形態の第２シールドプレートの斜視図である。
【図１０】図１０は、実施形態の第２シールドプレートの六面図である。
【発明を実施するための形態】
【００２３】
本発明の撮像装置は、第１基板と第２基板とをそれぞれ覆うよう、ノイズ遮蔽機能を有するシールドプレートを２つ備えており、このシールドプレートが付勢部を有し、光軸方向に付勢されながら安定的に保持されている点に特徴のひとつがある。
【００２４】
なお、本明細書では、レンズの中心位置であって、撮像素子に入射する光の中心位置を「光軸」と称する。レンズに対して撮像素子とは反対側に位置する撮像対象を「被写体」と称する。撮像素子に対して被写体が位置する方向を「フロント側」または「光軸方向前方」と称し、被写体に対して撮像素子が位置する方向を「リア側」または「光軸方向後方」と称する。
【００２５】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２６】
＜１．実施形態＞
本発明の実施形態について、図面を参照しながら説明する。図１及び図２は、本実施形態の撮像装置の外観斜視図であり、図１はフロント側から見た図、図２はリア側から見た図である。図３〜図５は、本実施形態の撮像装置の分解斜視図であり、図３はフロント側から見た図、図４は第１シールドプレートを見やすいように抜き出しつつフロント側から見た図、図５はリア側から見た図である。図６は、本実施形態の撮像装置の断面図である。
【００２７】
図１〜図６に示されるように、本実施形態の撮像装置は、フロントケース１、防水シール２、レンズ鏡筒３、第１基板４１、第２基板４２、第１シールドプレート６１、第２シールドプレート６２、防水シール７、リアケース８、コネクタ９、並びに連結具５１、５２、及び５３を含んで構成される。
【００２８】
＜フロントケース１＞
フロントケース１は、リアケース８と共に撮像装置の筐体（ケース）を形成する部材であって、樹脂などで形成される。フロントケース１は、光軸方向前方に、光軸Ａを中心とする開口部を有し、光軸方向後方はリアケース８と連結可能に開放されており、光軸Ａを覆うように、略矩形状の側面を有している。フロントケース１とリアケース８とが連結されることで、レンズ鏡筒３、第１基板４１、及び第２基板４２などを収容する空間が形成される。図１に示されるように、フロントケース１の光軸方向前方の開口部には、レンズ鏡筒３により保持されたレンズ３ａが位置する。
【００２９】
＜リアケース８＞
リアケース８は、上記のように、フロントケース１と連結されることで、レンズ鏡筒３、第１基板４１、及び第２基板４２などを収容する空間を形成する。リアケース８は、光軸Ａに対して略垂直な面を有する板状の部材である。リアケース８は、光軸方向後方に開口部を有する。リアケース８の開口部には、コネクタ９の突出部が挿入される。リアケース８は、連結具５２によりフロントケース１と連結され、連結具５３によりコネクタ９と連結される。
【００３０】
＜防水シール２＞
防水シール２は、ゴムなどの弾性部材により形成された円環状の部材であって、フロントケース１とレンズ鏡筒３との間に配置されることで、フロントケース１とレンズ鏡筒３とを隙間無く連結させるよう作用する。防水シール２は、フロントケース１の開口部の外縁の位置に沿った円環状となっている。
【００３１】
＜レンズ鏡筒３＞
レンズ鏡筒３は、光軸方向に伸びる円筒状の部材である。レンズ鏡筒３は、レンズ３ａを含む１以上の光学部材を保持する。レンズ鏡筒３に保持される光学部材には、レンズ３ａの他に、レンズ、スペーサ、口径板、及び光学フィルタなどが含まれる。レンズ３ａを含むレンズは、ガラスまたはプラスチック等の透過性を有する素材で形成され、光軸方向前方からの光を屈折させながら光軸方向後方に透過させる。スペーサは、光軸方向に適度な厚みを有する板状で円環状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数は、任意に変更可能である。
【００３２】
＜第１基板４１及び第２基板４２＞
第１基板４１及び第２基板４２は、撮像素子４３を含む電子部品が搭載されたリジッド基板である。本実施形態では、第１基板４１に撮像素子４３及び電子部品が搭載され、第２基板４２には電子部品が搭載される。第１基板４１と第２基板４２とは、フレキシブル基板に搭載された導線によって、電気的に接続される。撮像素子４３により取得された電気信号は、第１基板４１及び第２基板４２に搭載された電子部品により所定の電気処理または信号処理が施された後、撮像装置の外部に画像データとして出力される。第１基板４１及び第２基板４２は、連結具５１によって、撮像装置内で位置固定される。
【００３３】
第１基板４１及び第２基板４２は、それぞれ第１シールドプレート６１及び第２シールドプレート６２によって周囲を覆われている。
【００３４】
撮像素子４３は、照射された光を電気信号に変換する光電変換素子であり、例えばＣ−ＭＯＳセンサやＣＣＤなどであるが、これらに限定されるものではない。また、撮像装置においては、撮像素子４３以外の撮像機能を要する撮像部を採用してもよい。撮像素子は、本発明の「撮像部」の一例である。
【００３５】
＜第１シールドプレート６１＞
第１シールドプレート６１は、導電性を有する板状の部材により形成され、組み立てられた状態で、第１基板４１を覆うように配置される。
【００３６】
図７は、本実施形態の第１シールドプレート６１の斜視図である。図８は、本実施形態の第１シールドプレート６１の六面図である。図７及び図８に示されるように、第１シールドプレート６１は、平面部６１ａと、側面部６１ｂとを含んで構成される。平面部６１ａは、光軸Ａに対して垂直な平面上に形成された部分であり、第１基板４１と第２基板４２との間に位置する。側面部６１ｂは、平面部６１ａの矩形状の端部の三辺から、光軸方向前方に向かって延びる部分である。側面部６１ｂは、第１基板４１の外側の矩形部分の三方向を覆うよう位置している。平面部６１ａは、第１基板４１の光軸方向後方の少なくとも一部を覆うように位置する。
【００３７】
図７及び図８に示されるように第１シールドプレート６１の側面部６１ｂは、平面部６１ａよりも光軸方向後方に延びる、複数の後方延出部６１ｃを有する。
【００３８】
＜第２シールドプレート６２＞
第２シールドプレート６２は、導電性を有する板状の部材により形成され、組み立てられた状態で、第２基板４２を覆うように配置される。
【００３９】
図９は、本実施形態の第２シールドプレート６２の斜視図である。図１０は、本実施形態の第２シールドプレート６２の六面図である。図９及び図１０に示されるように、第２シールドプレート６２は、平面部６２ａと、側面部６２ｂとを含んで構成される。平面部６２ａは、光軸Ａに対して垂直な平面上に形成された部分である。側面部６２ｂは、平面部６２ａの矩形状の端部の四辺から、光軸方向前方に向かって延びる部分である。側面部６２ｂは、第２基板４２の外側を覆うよう位置している。平面部６２ａは、第２基板４２の光軸方向後方の少なくとも一部を覆うように位置する。
【００４０】
図９及び図１０に示されるように第２シールドプレート６２の側面部６２ｂの光軸方向前方の、第１シールドプレート６１の平面部６１ａと当接する当接部６２ｅが、光軸に近づく段差を有している。なお、当接部６２ｅは必ずしも段差である必要はなく、傾斜した形状であっても良いし、段差または傾斜を有さない形状であっても良い。このように、第１シールドプレート６１の後方延出部６１ｃと、第２シールドプレート６２の当接部６２ｅとによって、第１シールドプレート６１と第２シールドプレート６１とが互いに光軸に垂直な方向へ移動することを規制している。これによって、第２シールドプレートが第１シールドプレートに対して位置ずれを起こし、光軸方向前方に脱落することなどを防止することができる。
【００４１】
第２シールドプレート６２は、平面部６２ａに形成された板ばね部６２ｃを有する。板ばね部６２ｃは、平面部６２ａを形成する板部材の一部を加工し、光軸Ａに垂直な平面に対して緩やかな角度を有しながら光軸方向後方に突出して形成された部分である。つまり、板ばね部６２ｃは、平面部６２ａと一体的に形成される。図６の「Ｃ」の位置に示されるように、板ばね部６２ｃは、コネクタ９の光軸方向前方の面になっている接地電位部分に弾性的に当接する。
【００４２】
板ばね部６２ｃは、円弧状に切り欠かれた切欠部６２ｄを有する。切欠部６２ｄは、コネクタ９の接地電位部分に沿った円弧形状となっており、比較的広い面積で接地電位部分に接するよう構成されている（図６の「Ｃ」の位置）。つまり、第２シールドプレート６２は、板ばね部６２ｃを介して、コネクタ９の接地電位に電気的に接続される。板ばね部６２ｃは、本発明の「付勢部」の一例である。
【００４３】
図６の「Ｄ」の位置に示されるように、第２シールドプレート６２の側面部６２ｂの光軸方向前方の端部は、第１シールドプレート６１の平面部６１ａに当接し、光軸方向前方への移動が規制されている。第２シールドプレート６２と第１シールドプレート６１とは、この「Ｄ」の位置で当接することで、電気的に接続されている。第２シールドプレート６２は接地電位に電気的に接続されるため、第１シールドプレート６１も接地電位に電気的に接続される。
【００４４】
また、図６の「Ｄ」の位置に示されるように、第１シールドプレート６１と第２シールドプレート６２とは、互い違いに嵌合する形状となっている。これにより、第１シールドプレート６１と第２シールドプレート６２とが、互いにずれることなく安定的に連結される。なお、第１シールドプレート６１と第２シールドプレート６２とは、このような嵌合形状にせず、互いに光軸方向に移動しないよう、単に当接する構成としても良い。
【００４５】
図６の「Ｂ」の位置に示されるように、第１シールドプレート６１の側面部６１ｂの光軸方向前方の端部は、フロントケース１の光軸方向後方の面に当接し、光軸方向前方への移動が規制されている。この、第１シールドプレート６１の側面部６１ｂの光軸方向前方の端部を、「当接部」と称することがある。なお、当接部は、第１シールドプレート６１の光軸方向前方への移動が規制される位置に接していれば良いため、フロントケース１に当接せず、その他の構成に当接していても良い。
【００４６】
上記のように、第１シールドプレート６１の光軸方向前方の端部となる当接部は、フロントケース１の面に当接し、光軸方向後方の平面部６１ａは、第２シールドプレート６２の側面部６２ｂに当接する。第２シールドプレート６２の光軸方向後方の板ばね部６２ｃは、リアケース８の面に弾性的に当接している。これにより、第１シールドプレート６１及び第２シールドプレート６２の光軸方向の位置が安定的に付勢されながら固定される。
【００４７】
＜防水シール７＞
防水シール７は、防水シール２と同様にゴムなどの弾性部材により形成された部材であって、フロントケース１とリアケース８との間に配置されることで、フロントケース１とリアケース８とを隙間無く連結させるよう作用する。防水シール７は、フロントケース１とリアケース８との連結面に対応した形状となっており、本実施形態の防水シール７は、角部が切り欠かれた矩形状となっている。
【００４８】
＜コネクタ９＞
コネクタ９は、リアケース８の光軸方向後方に配置され、連結具５３によってリアケース８と連結される。コネクタ９は、撮像装置と外部機器とを電気的に接続させつつ、撮像装置を取り付け対象の機器に対して取り付けるための取付具として利用される。コネクタ９は、第２基板４２から光軸方向後方に突出した端子４２ａと接続される。また、コネクタ９の接地電位部分は、板ばね部６２ｃと接続される。
【００４９】
本実施形態の撮像装置では、第１シールドプレート６１と第２シールドプレート６２とを備える構成とすることで、第１基板４１及び第２基板４２を効果的に電磁ノイズから保護することができる。また、付勢部として機能する板ばね部６２ｃを有する構成とすることで、第１シールドプレート６１及び第２シールドプレート６２の位置を安定させつつ、フックなどを用いてシールドプレートを固定する構成と比較して、外側に向かって突出する形状を削減することができる。これにより、撮像装置を省スペースで構成することが可能となる。また、フックなどを用いる形状と比較して、一度組み立てた後であっても分解が容易であり、リペアをしやすい構成にすることができる。
【００５０】
また、本実施形態の撮像装置では、第１シールドプレート６１及び第２シールドプレート６２が、それぞれ平面部６１ａ及び６２ａと、側面部６１ｂ及び６２ｂとを有するため、第１基板４１及び第２基板４２への電磁ノイズによる影響を効果的に抑制することができる。
【００５１】
また、本実施形態の撮像装置では、第２シールドプレート６２を付勢しながら固定する構成として、平面部６２ａに形成された板ばね部６２ｃを採用している。この板ばね部６２ｃにより、第２シールドプレート６２に加え、第１シールドプレート６１も、付勢力により安定的に位置固定する構成とすることができる。
【００５２】
また、本実施形態の撮像装置では、第１シールドプレート６１が当接部を有し、第２シールドプレート６２が付勢部を有する構成としているため、第１シールドプレート６１及び第２シールドプレート６２の位置をより安定させることができる。
【００５３】
また、本実施形態の撮像装置では、第２シールドプレート６２が、接地電位に接続されており、第１シールドプレート６１及び第２シールドプレート６２がいずれも接地電位になるため、さらに効果的に、基板への電磁ノイズによる影響を抑制することができる。
【００５４】
また、本実施形態の撮像装置では、第２シールドプレート６２の板ばね部６２ｃを介して、コネクタ９の接地電位部分と接続されている。これにより、低インピーダンスの接地電位に第２シールドプレート６２及び第１シールドプレート６１が接続されることとなるため、さらに効果的に、基板への電磁ノイズによる影響を抑制することができる。
【００５５】
また、本実施形態の撮像装置では、第１シールドプレート６１の平面部６１ａが、第１基板４１と第２基板４２との間に位置している。そのため、第１基板４１と第２基板４２との相互間で伝搬される電磁ノイズを遮蔽することができる。
【００５６】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００５７】
例えば、上記実施形態の撮像装置における第１シールドプレート６１は光軸方向前方に当接部を有し、第２シールドプレート６２は光軸方向後方に付勢部を有していたが、第１シールドプレート６１が光軸方向前方に付勢部を有し、第２シールドプレート６２が光軸方向後方に当接部を有する構成であっても良い。また、第１シールドプレート６１及び第２シールドプレート６２が付勢されながら位置固定される構成であれば良いので、第１シールドプレート６１及び第２シールドプレート６２の少なくとも一方が付勢部を有する構成としても良い。第１シールドプレート６１と第２シールドプレート６２とが当接する位置が、板ばねなどの付勢部となる構成であっても良い。
【００５８】
また、第１基板４１と第２基板４２との位置関係は任意であり、第２基板４２が第１基板４１よりも光軸方向前方に位置する構成であっても良い。また、第１基板４１及び第２基板４２に加え、さらに別の基板を備える構成としても良い。
【００５９】
また、第２シールドプレート６２に形成された板ばね部６２ｃは、必ずしも平面部６２ａに形成される必要はなく、その他の部位に形成されても良い。
【００６０】
また、第１シールドプレート６１及び第２シールドプレート６２は、平面部６１ａまたは６２ａと光軸方向に対向する位置にさらに平面部を有する、箱状に形成されても良い。この場合、より効果的に、第１基板４１及び第２基板４２に対する電磁ノイズの影響を抑制することができる。
【００６１】
また、フロントケース１及びリアケース８は、実施形態のような構成に限定されるものではない。例えば、フロントケース１が光軸方向に略垂直な平面を形成する板状部材で、リアケース８が光軸方向に略垂直な平面を形成する板状部材と、板状部材の外縁部から光軸方向前方に突出した側面を有するなどの形状であっても良い。つまり、フロントケース１とリアケース８とは、連結されることで筐体（ケース）を形成する任意の形状を採用可能である。また、フロントケース１及びリアケース８は、樹脂以外の素材で形成されても良い。
【００６２】
また、第２シールドプレート６２の板ばね部６２ｃは、円弧状の切欠部６２ｄを有していたが、切欠部６２ｄは円弧状でなくても良い。例えば、切欠部６２ｄは、開口部を有し、開口部の外縁部分が接地電位部分に電気的に接続される構成などであっても良い。
【産業上の利用可能性】
【００６３】
本発明は、車載用の撮像装置などとして好適に利用される。
【符号の説明】
【００６４】
１…フロントケース
２…防水シール
３…レンズ鏡筒
３ａ…レンズ
４１…第１基板
４２…第２基板
４２ａ…端子
４３…撮像素子
５１〜５３…連結具
６１…第１シールドプレート
６１ａ…平面部
６１ｂ…側面部
６１ｃ…後方延出部
６２…第２シールドプレート
６２ａ…平面部
６２ｂ…側面部
６２ｃ…板ばね部
６２ｄ…切欠部
６２ｅ…当接部
７…防水シール
８…リアケース
９…コネクタ
【図１】
2018164190.tif 000003
【図２】
2018164190.tif 000004
【図３】
2018164190.tif 000005
【図４】
2018164190.tif 000006
【図５】
2018164190.tif 000007
【図６】
2018164190.tif 000008
【図７】
2018164190.tif 000009
【図８】
2018164190.tif 000010
【図９】
2018164190.tif 000011
【図１０】
2018164190.tif 000012